(57)【要約】【課題】繊細で軽く柔軟性に富み、装着感を殆ど感じさせず、薄毛対策として誰でも手軽に利用することができるかつらを提供する。【解決手段】薄毛用のかつら１であって、装着者の自毛を引出すことが可能な大きさの網目を形成するとともに、増毛のための毛髪が植設される糸状部材からなるネット１０と、ネット１０の外周を取り囲むように前記糸状部材に結合された複数の止着部材２０と、を含み、各止着部材２０は、自毛を止着することが可能な構成を備える。【選択図】図１
2019157312.tif 000002
【特許請求の範囲】
【請求項１】
薄毛用のかつらであって、
装着者の自毛を引出すことが可能な大きさの網目を形成するとともに、増毛のための毛髪が植設される糸状部材からなるネットと、
前記ネットの外周を取り囲むように前記糸状部材に結合された複数の止着部材と、
を含み、各止着部材は、前記自毛を止着することが可能な構成を備えることを特徴とするかつら。
【請求項２】
各止着部材が、前記ネットの外周を取り囲むことが可能な長さの形状保持材を一時的に保持することが可能な構成を備える請求項１に記載のかつら。
【請求項３】
各止着部材が、互いに結合された第１及び第２環状部材からなり、各第１環状部材は、前記ネットの外周を取り囲むように前記糸状部材に結合され、各第２環状部材には、前記自毛が止着される請求項１又は２に記載のかつら。
【請求項４】
各第１環状部材は、前記ネットの外周を取り囲むことが可能な長さの形状保持材を通過させることが可能な内径を有する請求項３に記載のかつら。
【請求項５】
各第２環状部材は、各第１環状部材よりも大きい内径を有する請求項３又は４に記載のかつら。
【請求項６】
各第１環状部材は、その直径方向に伸縮性を有する請求項３〜５のいずれか１項に記載のかつら。
【請求項７】
各止着部材が、前記糸状部材との結合部と、前記自毛の止着部とを含む一部品で構成される請求項１又は２に記載のかつら。
【請求項８】
各止着部材が、前記結合部と前記止着部との間に、前記ネットの外周を取り囲むことが可能な長さの形状保持材を保持するための間隔を有し、前記間隔には、前記形状保持材を一時的に保持することが可能な構成が設けられる請求項７に記載のかつら。
【請求項９】
各止着部材が、前記間隔に前記形状保持材を一時的に保持するための水溶性の糸状部材を備え、前記形状保持材が、前記水溶性の糸状部材によって前記間隔に結着される請求項８に記載のかつら。
【請求項１０】
請求項２〜８に記載されたかつらの装着方法であって、
前記形状保持材を各止着部材に保持させた状態で、前記かつらを装着者の頭部に載置する工程と、
装着者の自毛を各止着部材に止着する工程と、
前記形状保持材の少なくとも一部を切断し、各止着部材から取り外す工程と、
を含むことを特徴とするかつらの装着方法。
【請求項１１】
請求項９に記載されたかつらの装着方法であって、
前記形状保持材を各止着部材に保持させた状態で、前記かつらを装着者の頭部に載置する工程と、
装着者の自毛を各止着部材に止着する工程と、
前記水溶性の糸状部材を溶解させ、前記形状保持材を各止着部材から取り外す工程と、
を含むことを特徴とするかつらの装着方法。
【発明の詳細な説明】
【技術分野】
【０００１】
本発明は、薄毛用のかつら及びその装着方法に関し、特に、かつらを一定の形状に保つための骨組みとなる構成要素を排除し、繊細で軽く柔軟性に富み、装着感を殆ど感じないかつらと、一定の形状を保つことが難しいかつらを頭部に容易に装着することを可能とするかつらの装着方法とに関する。
【背景技術】
【０００２】
男女を問わず、薄毛の一般的な対策として増毛とかつらが知られている。増毛は、頭部に生えている自毛に、人工毛や人毛（以下「毛髪」という）を結着する施術である。例えば、特許文献１に開示されているように、１本の自毛の根元に毛髪をＶ字形に結着して、毛量を３本に増やす。一方、薄毛用のかつらは、かつらの毛髪と頭部の自毛とを混ぜ合せることが可能な構成となっている。例えば、特許文献２に開示されているように、頭部を覆うネット状のベースのうち、薄毛に対応する部分に毛髪を植設し、これ以外の部分をカッターで切除して自毛の引き出しを可能とする。
【先行技術文献】
【特許文献】
【０００３】
【特許文献１】特開２００６−６３４５７号公報
【特許文献２】特開平５−２９５６０５号公報
【特許文献３】特開２００２−１１５１１５号公報
【発明の概要】
【発明が解決しようとする課題】
【０００４】
生え際、分け目、旋毛などの部分的な薄毛には、かつらよりも増毛が好適である。増毛は、薄毛が気になる部分の毛量をピンポイントで増すことができ、外観も自然であり、かつらのような装着感が全くない。しかし、毛髪を結着した自毛が伸びると、毛髪の結び目が上へと移動し、不自然な状態になる。このため、増毛には、専門家による月々のメンテナンスが必要であり、維持費が掛かる。このような経済的な理由から、増毛は、有効な薄毛対策でありながら、積極的に利用されていない。
【０００５】
一方、薄毛用のかつらは、頭部を覆って自毛を引き出す構成であるため、頭皮や自毛から伝わる装着感が煩わしい。特に、薄毛の程度が軽い人は、装着感の煩わしさを我慢してまで、かつらを利用しようとは思わない。例えば、特許文献２のかつらは、ベースに第１及び第２形態保持体を放射状に設けて、かつらを一定の形状に保持している。自毛は、第１及び第２形態保持体の間から引き出される。第１及び第２形態保持体は、一定の形状を保持するための弾性を有するため、頭皮や自毛に接触圧を加え、頭部に装着感を与える。
【０００６】
ここで、特許文献３には、かつらのアウトラインとなる周縁枠部材を構成要素から排除し、複数本のリブからなるフレームワークに擬毛を取り付けた構成のかつらが開示されている。特許文献３のかつらは、複数本のリブの間から引き出した装着者の自毛と、リブに取り付けた擬毛とを混ぜ合わせて頭部に装着される。
【０００７】
特許文献３のかつらは、複数本のリブのいずれもが、かつらのアウトラインを形成しないので、頭皮への圧迫は軽減されるものと考えられる。しかし、各リブは、弾性を備えた剛性材料から成る芯材と、この芯材を覆う熱収縮性のチューブとで形成されており、その重量、接触面積及び硬さが、かつらの物理的存在を頭部に感じさせる。また、弾性と剛性とを兼ね備えた各リブは、その間から引き出された自毛に接触圧を加える。
【０００８】
本発明は、上記問題点に鑑みてなされたものであり、繊細で軽く柔軟性に富み、装着感を殆ど感じさせず、薄毛対策として誰でも手軽に利用することができるかつらを提供することを目的とする。また、本発明は、一定の形状を保つことが難しいかつらを頭部に容易に装着することを可能とするかつらの装着方法を提供することを目的とする。
【課題を解決するための手段】
【０００９】
（１）上記目的を達成するために、本発明のかつらは、薄毛用のかつらであって、装着者の自毛を引出すことが可能な大きさの網目を形成するとともに、増毛のための毛髪が植設される糸状部材からなるネットと、前記ネットの外周を取り囲むように前記糸状部材に結合された複数の止着部材と、を含み、各止着部材は、前記自毛を止着することが可能な構成を備える。
【００１０】
（２）好ましくは、上記（１）のかつらにおいて、各止着部材が、前記ネットの外周を取り囲むことが可能な長さの形状保持材を一時的に保持することが可能な構成を備える。
【００１１】
（３）好ましくは、上記（１）又は（２）のかつらにおいて、各止着部材が、互いに結合された第１及び第２環状部材からなり、各第１環状部材は、前記ネットの外周を取り囲むように前記糸状部材に結合され、各第２環状部材には、前記自毛が止着される。
【００１２】
（４）好ましくは、上記（３）のかつらにおいて、各第１環状部材は、前記ネットの外周を取り囲むことが可能な長さの形状保持材を通過させることが可能な内径を有する。
【００１３】
（５）好ましくは、上記（３）又は（４）のかつらにおいて、各第２環状部材は、各第１環状部材よりも大きい内径を有する。
【００１４】
（６）好ましくは、上記（３）〜（５）のいずれかのかつらにおいて、各第１環状部材は、その直径方向に伸縮性を有する。
【００１５】
（７）好ましくは、上記（１）又は（２）のかつらにおいて、各止着部材が、前記糸状部材との結合部と、前記自毛の止着部とを含む一部品で構成される。
【００１６】
（８）好ましくは、上記（７）のかつらにおいて、各止着部材が、前記結合部と前記止着部との間に、前記ネットの外周を取り囲むことが可能な長さの形状保持材を保持するための間隔を有し、前記間隔には、前記形状保持材を一時的に保持することが可能な構成が設けられる。
【００１７】
（９）好ましくは、上記（８）のかつらにおいて、各止着部材が、前記間隔に前記形状保持材を一時的に保持するための水溶性の糸状部材を備え、前記形状保持材が、前記水溶性の糸状部材によって前記間隔に結着される。
【００１８】
（１０）上記目的を達成するために、本発明の第１のかつらの装着方法は、上記（２）〜（８）に記載されたかつらの装着方法であって、前記形状保持材を各止着部材に保持させた状態で、前記かつらを装着者の頭部に載置する工程と、装着者の自毛を各止着部材に止着する工程と、前記形状保持材の少なくとも一部を切断し、各止着部材から取り外す工程と、を含む。
【００１９】
（１１）上記目的を達成するために、本発明の第２のかつらの装着方法は、上記（９）に記載されたかつらの装着方法であって、前記形状保持材を各止着部材に保持させた状態で、前記かつらを装着者の頭部に載置する工程と、装着者の自毛を各止着部材に止着する工程と、前記水溶性の糸状部材を溶解させ、前記形状保持材を各止着部材から取り外す工程と、を含む。
【発明の効果】
【００２０】
本発明のかつらは、形状を保つための骨組みとなる構成要素を排除し、増毛のための毛髪、ネット及び止着部材を主たる構成要素とする。この結果、繊細で軽く柔軟性に富み、装着感を殆ど感じさせず、薄毛対策として誰でも手軽に利用することができるかつらが実現する。本発明のかつらは、極めて簡素な構成であり、装着感を殆ど感じさせないため、施術としての増毛により近い。
【００２１】
一方、本発明のかつらは、形状を保つための骨組みとなる構成要素を排除した結果、頭部に装着されるまで一定の形状を保つことが難しく、頭部への装着作業が困難である。そこで、本発明のかつらは、ネットの外周を取り囲む長さの形状保持材を、各止着部材によって一時的に保持する構成を採用する。そして、本発明のかつらの装着方法は、装着者の自毛にかつらを止着するまでの間、各止着部材を介して、ネットの外周を形状保持材に間接的に保持させる。これにより、かつらのアウトラインが保たれ、すなわち、ネットが広がった状態に保たれ、装着者の自毛を各止着部材に止着する作業が容易となる。形状保持材は、装着者の自毛にかつらを止着した後、かつらから取り外される。したがって、形状保持材が装着者の頭部に装着感を感じさせることはない。このような本発明の装着方法によれば、一定の形状を保つことが難しいかつらを頭部に容易に装着することが可能となる。この結果、ヘアサロン等の店舗において、本発明のかつらによる増毛効果を、顧客に迅速に提供することができる。
【図面の簡単な説明】
【００２２】
【図１】図１（ａ）は、本発明の第１実施形態に係るかつらを示す平面図である。図１（ｂ）は、前記かつらを示す側面図である。図１（ｃ）は、前記かつらを構成する止着部材の周辺を示す部分拡大図である。
【図２】図２（ａ）〜（ｄ）は、本発明の実施形態に係るかつらの装着方法を説明するための概略図である。
【図３】図３（ａ）〜（ｃ）は、本発明の実施形態に係るかつらの装着方法を説明するための概略図である。
【図４】図４は、本発明の第１実施形態に係るかつらを頭部に装着した状態を示す平面図である。
【図５】図５（ａ）は、本発明の第２実施形態に係るかつらを示す平面図である。図５（ｂ）は、前記かつらを構成する止着部材を示す部分拡大図である。
【図６】図６（ａ）〜（ｄ）は、本発明の第２実施形態に係るかつらの着脱方法を説明するための概略図である。
【図７】図７（ａ）は、本発明の第３実施形態に係るかつらを示す平面図である。図７（ｂ）は、前記かつらを構成する止着部材を示す部分拡大図である。
【図８】図８は、本発明の第３実施形態に係るかつらを頭部に装着した状態を示す平面図である。
【発明を実施するための形態】
【００２３】
＜かつらの第１実施形態＞
まず、本発明の第１実施形態に係るかつらの構成について、図１及び図４を参照しつつ説明する。図１（ａ）〜（ｃ）は、本発明の第１実施形態に係るかつら１の装着前の状態を示す。一方、図４は、本発明の第１実施形態に係るかつら１の装着後の状態を示す。
【００２４】
図１（ａ）、（ｂ）に示すように、かつら１は、増毛のための図示しない毛髪と、ネット１０と、複数の止着部材２０とで構成される。形状保持材３０は、かつら１の装着作業をサポートするための一時的な手段であり、かつら１を構成するものではない。図４に示すように、装着者の頭部に装着されたかつら１は、増毛のための図示しない毛髪と、ネット１０と、複数の止着部材２０との３つの構成要素からなる。
【００２５】
ネット１０は、複数本の糸状部材を９０度に交差させて結着し、装着者の自毛を引出すことが可能な大きさの網目を形成した構成になっている。ネット１０を構成する糸状部材には、増毛のための図示しない毛髪が結着される。ネット１０の網目の大きさは特に限定されるものではない。但し、本発明は、増毛を目的とする薄毛用のかつらに関するものであり、ネット１０の網目は、比較的に多くの自毛を引き出すことが可能な大きさになると予想される。例えば、ネット１０の網目は、全体的に１５ｍｍ×１５ｍｍの大きさとし、増毛のための毛髪を密に植設したい箇所の網目を部分的に７．５ｍｍ×７．５ｍｍとすることが可能である。さらに、頭部の生え際、分け目、旋毛の少なくともいずれか１つに対応するネット１０の部分に人工皮膚を取り付けた構成にしてもよい。人工皮膚は、人工又は天然の繊維からなる織布で構成してもよいし、あるいは、ポリウレタンやシリコーン等の合成樹脂からなる肌色のフィルム又はシートで構成してもよい。
【００２６】
ネット１０を構成する糸状部材の直径や素材は、特に限定されるものではないが、より細くより高い強度を有するものが望ましい。例えば、ネット１０を構成する糸状部材の素材は、成形性及び耐熱性等に優れたナイロン、ポリエステル、アクリルなどの熱可塑性樹脂が好ましく、糸状部材の直径は、１ｍｍ未満とすることが好ましい。
【００２７】
複数の止着部材２０は、ネット１０の外周を取り囲むように、ネット１０を構成する糸状部材に結合されている。図１（ｃ）に示すように、本実施形態の止着部材２０は、互いに結合された第１環状部材２１及び第２環状部材２２の２つの部品で構成されている。第１環状部材２１と第２環状部材２２とは、互いの内側を通過するようにして鎖状に結合されている。
【００２８】
第１環状部材２１は、その直径方向（図中の両矢印を参照）に伸縮性を有する合成樹脂製の円筒で構成されている。第１環状部材２１は、ネット１０の最も外側に位置する網目を構成する糸状部材、又はネット１０の最も外側に網目を構成しない糸状部材の端部に結合される。第１環状部材２１の素材は、特に限定されるものではないが、例えば、シリコーンゴムとすることが可能である。また、第１環状部材２１の直径及び幅も、特に限定されるものではないが、例えば、直径１ｍｍ程度、幅１ｍｍ〜２ｍｍ程度とすることができる。各第１環状部材２１には、形状保持材３０が挿通され、一時的に保持される。
【００２９】
第２環状部材２２は、例えば、ナイロン、ポリエステル、アクリルなどの合成樹脂製の線材からなる。第２環状部材２２の直径は、特に限定されるものではないが、直径を大きくすると、装着者の自毛を通しやすくなる。第２環状部材２２の直径は、例えば、５ｍｍ程度が好ましい。装着者の自毛は、例えば、第２環状部材２２に結着され、接着剤で固定される。
【００３０】
形状保持材３０は、例えば、塑性変形可能な合成樹脂からなる。形状保持材３０の素材は、特に限定されるものではなく、ネット１０の外周の大半を取り囲むことが可能な長さと、外力を加えて変形させた形状を保つことができればよい。本実施形態では、形状保持材３０として、三井化学株式会社（登録商標）の製品名「テクノロート」（登録商標）を用いている。
【００３１】
形状保持材３０は、各止着部材２０の第１環状部材２１に挿通され、かつら１のアウトラインを保つ。すなわち、形状保持材３０は、各第１環状部材２１を介して、ネット１０を広げた状態に保つ。これにより、かつら１が一定の形状に保たれ、各止着部材２０の第２環状部材２２に装着者の自毛を止着する作業が容易となる。
【００３２】
＜かつらの装着方法の実施形態＞
次に、本発明の第１実施形態に係るかつらの装着方法について、図２〜図４を参照しつつ説明する。
【００３３】
図２（ａ）に示すように、形状保持材３０を各止着部材２０の第１環状部材２１に保持させた状態で、かつら１を装着者の頭部に載置する。形状保持材３０によって、かつら１が図１（ａ）、（ｂ）に示す状態に保たれ、頭部の所定位置にかつら１を正確に配置することができる。
【００３４】
次いで、図２（ｂ）〜（ｄ）に示すように、いずれかの止着部材２０の第２環状部材２２に鈎針１００を挿通させ、装着者の自毛を鈎針１００の先端で掬い上げ、第２環状部材２２を通過させる。そして、図３（ａ）に示すように、装着者の自毛を第２環状部材２２に結着させ、結着部分を接着剤で固める。以上の止着工程を、全ての止着部材２０に対して繰り返し行うことにより、かつら１が装着者の頭部に装着される。
【００３５】
その後、図３（ｂ）、（ｃ）に示すように、形状保持材３０の少なくとも一部を切断して、各止着部材２０の第１環状部材２１から形状保持材３０を取り外す。これにより、装着者の頭部に装着されたかつら１は、増毛のための図示しない毛髪と、ネット１０と、各止着部材２０とからなる極めて簡素な構成になる（図４を参照）。
【００３６】
＜かつらの第２実施形態＞
次に、本発明の第２実施形態に係るかつらの構成について、図５を参照しつつ説明する。図５（ａ）、（ｂ）は、本発明の第２実施形態に係るかつら２の装着前の状態を示す。
【００３７】
図５（ａ）、（ｂ）に示すように、かつら２は、１つの止着部材２０が複数の第２環状部材２２を備えた構成となっている。この構成により、装着者の頭部からかつら２を極めて容易に取り外すことが可能となる。
【００３８】
すなわち、図６（ａ）に示すように、かつら２は、複数の第２環状部材２２のいずれか１つを用いて、上述した実施形態の装着方法と全く同じ手順で、装着者の頭部に装着される（図６（ｂ）を参照）。
【００３９】
一方、図６（ｃ）に示すように、装着者の頭部からかつら２を取り外す場合は、自毛を結着させた第２環状部材２２の一部を切断する。図６（ｄ）に示すように、切断された第２環状部材２２は、第１環状部材２１との結合が解かれる。全ての第２環状部材２２を切断し、全ての第１環状部材２１との結合を解くと、かつら２は、装着者の頭部から取り外される。
【００４０】
このように、かつら２は、自毛が止着された第２環状部材２２を全て切断することで、装着者の頭部から容易かつ迅速に取り外すことができる。そして、装着者の頭部から取り外したかつら２は、再び装着者の頭部に装着させることが可能である。すなわち、各第１環状部材２１に新たな形状保持材３０を挿通させて、かつら２を一定の形状に保ち、各第１環状部材２１に残っている未使用の第２環状部材２２に、装着者の自毛を止着させる。このようにして、かつら２は、再び装着者の頭部に装着される。
【００４１】
＜かつらの第３実施形態＞
次に、本発明の第３実施形態に係るかつらの構成について、図７及び図８を参照しつつ説明する。図７（ａ）、（ｂ）は、本発明の第３実施形態に係るかつら３の装着前の状態を示す。一方、図８は、本発明の第３実施形態に係るかつら３の装着後の状態を示す。
【００４２】
図７（ａ）、（ｂ）に示すように、かつら３の各止着部材４０は、合成樹脂製の一枚の板部材で構成されている。各止着部材４０には、ネット１０を構成する糸状部材との結合部４０ａと、自毛の止着部４０ｂとが設けられている。
【００４３】
結合部４０ａは、横方向に並ぶ２つの穿孔からなる。ネット１０を構成する糸状部材は、結合部４０ａの２つの穿孔に通され、止着部材４０の一端部に結合される。止着部４０ｂは、結合部４０ａの反対側に設けられた開口からなる。装着者の自毛は、止着部４０ｂの開口を通過させられ、止着部材４０の他端部に結着される。
【００４４】
止着部材４０における結合部４０ａと止着部４０ｂとの間には、形状保持材３０を保持するための間隔があけられており、この間隔には、縦横に並んで配置された４つの穿孔４０ｃが設けられている。そして、形状保持材３０は、４つの穿孔４０ｃに通された水溶性の糸状部材５０によって止着部材４０に保持される。
【００４５】
かつら３は、上述した実施形態の装着方法と全く同じ手順で、装着者の頭部に装着されるが、形状保持材３０を取り外す工程が、上述した実施形態の装着方法と異なる。すなわち、全ての止着部材４０の止着部４０ｂに装着者の自毛を結着した後、各止着部材４０の水溶性の糸状部材５０を全て溶解させる。これにより、形状保持材３０は、ネット１０の外周を取り囲む輪状のままで、各止着部材４０から取り外される。これにより、装着者の頭部に装着されたかつら３は、増毛のための図示しない毛髪と、ネット１０と、各止着部材４０とからなる極めて簡素な構成になる（図８を参照）。
【００４６】
＜作用効果＞
本実施形態のかつら１、２、３は、形状を保つための骨組みとなる構成要素を排除し、増毛のための図示しない毛髪、ネット１０及び止着部材２０又は４０を主たる構成要素とする。この結果、繊細で軽く柔軟性に富み、装着感を殆ど感じさせず、薄毛対策として誰でも手軽に利用することができるかつら１、２、３が実現する。本実施形態のかつら１、２、３は、極めて簡素な構成であり、装着感を殆ど感じさせないため、施術としての増毛により近い。
【００４７】
一方、本実施形態のかつら１、２、３は、形状を保つための骨組みとなる構成要素を排除した結果、頭部に装着されるまで一定の形状を保つことが難しく、頭部への装着作業が困難である。そこで、本実施形態のかつら１、２、３は、ネット１０の外周を取り囲む長さの形状保持材３０を、各止着部材２０又は４０によって一時的に保持する構成を採用する。そして、本実施形態のかつら１、２、３の装着方法は、装着者の自毛にかつら１、２、３を止着するまでの間、各止着部材２０又は４０を介して、ネット１０の外周を形状保持材３０に間接的に保持させる。これにより、かつら１、２、３のアウトラインが保たれ、すなわち、ネット１０が広がった状態に保たれ、装着者の自毛を各止着部材２０又は４０に止着する作業が容易となる。形状保持材３０は、装着者の自毛にかつら１、２、３を止着した後、かつら１、２、３から取り外される。したがって、形状保持材３０が装着者の頭部に装着感を感じさせることはない。このような本実施形態のかつら１、２、３の装着方法によれば、一定の形状を保つことが難しいかつら１、２、３を頭部に容易に装着することが可能となる。この結果、ヘアサロン等の店舗において、本実施形態のかつら１、２、３による増毛効果を、顧客に迅速に提供することができる。
【符号の説明】
【００４８】
１、２、３  かつら
１０  ネット
２０  止着部材
２１  第１環状部材
２２  第２環状部材
３０  形状保持材
４０  止着部材
４０ａ  結合部
４０ｂ  止着部
４０ｃ  穿孔
５０  水溶性の糸状部材
１００  鉤針
【図１】
2019157312.tif 000003
【図２】
2019157312.tif 000004
【図３】
2019157312.tif 000005
【図４】
2019157312.tif 000006
【図５】
2019157312.tif 000007
【図６】
2019157312.tif 000008
【図７】
2019157312.tif 000009
【図８】
2019157312.tif 000010